(57)【要約】      （修正有）【課題】光制御範囲を大幅に向上させ、高段階の光制御情報システムに電力供給できるシングルファイアワイヤーの双方向電力フェッチの光調整制御システムを提供する。【解決手段】少なくとも光調整駆動部材と相互に接続される二つの双方向の電子部材とを有し、一つの電子部材がシングルファイアワイヤーの入力端と接続され、他の電子部材がワイヤーの出力端と接続され、二つの電子部材が交流のプラス波とマイナス波を位相調整する光調整回路と、光調整回路と直列接続され、二つの電子部材の間に位置し、光調整回路の動作時にワイヤーから電力フェッチする双方向電力フェッチモジュールと、光調整回路と並列接続され、一端がワイヤーの入力端に接続され、他端がワイヤーの出力端に接続されるハイサイドバックトランスファー回路と、電力取得の入力端が双方向電力フェッチモジュールとハイサイドバックトランスファー回路に接続され、電力供給の出力端が光調整駆動部材に接続される直流電力トランスファーと、を備える。【選択図】図１
0003222776.tif 000002
【実用新案登録請求の範囲】
【請求項１】
シングルファイアワイヤーに直列に接続する光調整回路であって、少なくとも光調整駆動部材と相互に接続される二つの双方向の電子部材を有し、その一つの双方向の電子部材がシングルファイアワイヤーの入力端と接続されると共に、他の双方向の電子部材がシングルファイアワイヤーの出力端と接続され前記二つの双方向の電子部材が交流のプラス波とマイナス波を位相調整することができる前記光調整回路と、
前記光調整回路と直列に接続されると共に、前記二つの双方向の電子部材の間に位置することにより、前記光調整回路の動作時にシングルファイアワイヤーから電力フェッチする、シングルファイアワイヤーの双方向電力フェッチモジュールと、
前記光調整回路と並列に接続され、その一端が前記一つの双方向の電子部材と接続するシングルファイアワイヤーの入力端に接続されると共に、他端が前記他の双方向の電子部材と接続するシングルファイアワイヤーの出力端に接続されるハイサイドバックトランスファー回路と、
電力取得の入力端が前記シングルファイアワイヤーの双方向電力フェッチモジュールと前記ハイサイドバックトランスファー回路それぞれに接続されると共に、電力供給の出力端が前記光調整回路の光調整駆動部材に接続される直流電力トランスファーと、を備えることを特徴とする、シングルファイアワイヤーの双方向電力フェッチの光調整制御システム。
【請求項２】
前記光調整回路と前記シングルファイアワイヤーの双方向電力フェッチモジュールから集積回路モジュールに構成されることを特徴とする、請求項１に記載のシングルファイアワイヤーの双方向電力フェッチの光調整制御システム。
【請求項３】
前記光調整回路と、前記シングルファイアワイヤーの双方向電力フェッチモジュールと、前記ハイサイドバックトランスファー回路と、前記直流電力トランスファーから集積回路モジュールに構成されることを特徴とする、請求項１に記載のシングルファイアワイヤーの双方向電力フェッチの光調整制御システム。
【請求項４】
前記光調整回路の光調整の周期デューティー比は、１５％以上に制御され、前記二つの双方向の電子部材は、離間して設けられるＭｏｓＦＥＴから構成され、前記光調整駆動部材は、ＭｏｓＦＥＴの光調整駆動部材であることを特徴とする、請求項１に記載のシングルファイアワイヤーの双方向電力フェッチの光調整制御システム。
【請求項５】
前記光調整駆動部材は、ＭＣＵのマイクロプロセッサーによって制御され、前記ＭＣＵのマイクロプロセッサーの電力は、前記直流電力トランスファーから供給され、前記ＭＣＵのマイクロプロセッサーに対する前記直流電力トランスファーの出力電力は、少なくともＤＣ３．３Ｖ/４５０ｍＡの直流電流であることを特徴とする、請求項４に記載のシングルファイアワイヤーの双方向電力フェッチの光調整制御システム。
【請求項６】
前記光調整回路の光調整の周期比例が５０％以上の時に、前記シングルファイアワイヤーの双方向電力フェッチモジュールが前記光調整回路で直接にシングルファイアワイヤーの電力フェッチをし、光調整の周期比例が５０％以下の時に、前記ハイサイドバックトランスファー回路から電圧を降下して電力を提供することを特徴とする、請求項５に記載のシングルファイアワイヤーの双方向電力フェッチの光調整制御システム。
【請求項７】
前記ＭＣＵのマイクロプロセッサーには、ワイヤレス通信モジュールが設けられ、前記ワイヤレス通信モジュールは、Ｂｌｕｅｔｏｏｔｈ（登録商標）のワイヤレス通信モジュールと、Ｚｉｇｂｅｅ（登録商標）のワイヤレス通信モジュールと、Ｚ-ｗａｖｅ（登録商標）のワイヤレス通信モジュールと、ＲＦ２．４Ｇ、３Ｇ、４Ｇ、４．５Ｇ、５Ｇのワイヤレス通信モジュールと、４３３ＭＨｚのワイヤレス通信モジュールと、Ｗｉ-Ｆｉ（登録商標）のワイヤレス通信モジュールとの何れか一つであることを特徴とする、請求項５に記載のシングルファイアワイヤーの双方向電力フェッチの光調整制御システム。
【請求項８】
前記シングルファイアワイヤーの双方向電力フェッチモジュールは、並列の同期直列式電力フェッチ回路と電子式切替スイッチから構成され、前記電子式切替スイッチは、前記ＭＣＵのマイクロプロセッサーによって制御され、その一つの前記同期直列式電力フェッチ回路は交流のプラス位相で電力フェッチすると共に、他の前記同期直列式電力フェッチ回路は交流のマイナス位相で電力フェッチし、前記同期直列式電力フェッチ回路のそれぞれは、同期整流外部電力供給ユニットと、同期整流内部電力供給ユニットと、同期交流電圧制御ユニットと、ＦＥＴ駆動の零位相追従制御ユニットと、同期負荷の動態調整ユニットと、同期交流の零位相追従電力フェッチユニットとを含むことにより、双方向のブリッジ式の電力フェッチを行うことができ、シングルファイアワイヤーの場合、交流電力における一つの周期で電力フェッチを２回に行い、且つ電力フェッチの幅は、負荷の増減に伴い電力を自動的に補償することを特徴とする、請求項５に記載のシングルファイアワイヤーの双方向電力フェッチの光調整制御システム。
【請求項９】
前記光調整回路の後端には、ランプ又はモーターが設けられることを特徴とする、請求項５に記載のシングルファイアワイヤーの双方向電力フェッチの光調整制御システム。
【請求項１０】
前記光調整回路を制御するための信号を感知するために、前記ＭＣＵのマイクロプロセッサーには、感知センサーが設けられることを特徴とする、請求項５に記載のシングルファイアワイヤーの双方向電力フェッチの光調整制御システム。
【考案の詳細な説明】
【技術分野】
【０００１】
本考案は、光調整制御の技術分野に関するものであり、特にシングルファイアワイヤーの双方向電力フェッチの光調整制御システムに関するものである。
【背景技術】
【０００２】
商用電源の交流５０Ｈｚ又は６０Ｈｚに関わる従来の電力フェッチ方式では、様々な設計や特許案が公開され、所定の周期におけるある時間帯に供給された交流電力から瞬間電流を取得し、整流してシステム回路の基礎電力供給とする。しかし、この従来の構成は、同期設計の功能を有さないため、電力フェッチ回路と工作方式に様々な欠点がある。
【考案の概要】
【考案が解決しようとする課題】
【０００３】
本考案者は、前記の欠点に対してシリーズの特許を出願して最後に電力のフェッチに優れた応用効果を得た。それは、電源のファイアワイヤーに直列に接続することにより、同期して各周期の電力フェッチをすることができ、直流電力を同期且つ安定に出力することができる。最先端の特許技術では、双方向の動態ブリッジ式の電力フェッチを採用し、シングルファイアワイヤーの場合における交流電力の一つの周期で2回の電力フェッチをすることができ、且つ電力フェッチの幅は、負荷の増減に応じて自動的に調整して電力を補償する。この最大の特色は、電源に少なくともＤＣ３.３Ｖ/３５０ｍＡの直流電力を提供できる。これは、一般のＷｉ-Ｆｉ設備や他の同じ電力損耗の通信モジュールと感知センサーには使用できるが、インターネットにおけるランプの輝度に対する光調整には使用することができない。
【０００４】
これは、主にシングルファイヤラインの動態電力フェッチモジュールでは、制御可能なシリコン（Ｔｒｉａｃ）を光調整の制御部材として使用しているためであり、図６に示すように、その工作方式では、前段の位相制御（Ｌｅａｄｉｎｇ−ｅｄｇｅ  Ｐｈａｓｅ  Ｃｏｎｔｒｏｌ）を利用することにより、ＡＣ交流電力のオン周期のデューティー比を制御してランプに電力を供給する。インターネットにおけるランプの輝度に対する光調整を同時に満足しようとする場合、光調整回路をＩｏＴ（Ｉｎｔｅｒｎｅｔ ｏｆ Ｔｈｉｎｇｓ）のインターネットに追加すると、高段階のワイアレス通信モジュールを添加しなければならず、必要な電力も増加する。シングルファイアワイヤーの光調整において電力を増加させる方法は、光調整のデューティー比を８５％から７５％に低減し、その残りの２５％の交流電力を直流電力に転換することであり、これによって、高段階のワイアレス通信モジュールの所要電力に提供することができる。しかし、たとえこの方式を採用しても、３０ｍＡ程度の電力しか出力することができず、一般的なワイヤレス通信モジュールに対しては十分であるかもしれないが、Ｗｉ-Ｆｉや未来の５Ｇのような高段階のワイヤレス通信モジュールにおける光調整回路の所要電力である４５０ｍＡの需要を満足することができない。
【０００５】
前記Ｗｉ-Ｆｉ/５Ｇモジュールの光調整装置の設計は、所定の困難性があるので、ニュートラル・ライン（Ｎｅｕｔｒａｌ  ｌｉｎｅ）と接続することにより、安定な電力を提供することができ、一方、ランプの光調整について、ランプの発光安定性問題などを考慮しなければならないので、ＩｏＴのインターネットと光制御の情報システムにシングルファイアワイヤーで電力を提供するのは、また克服すべき技術的課題がある。
【０００６】
上記の問題に鑑み、本考案者は、前記先行技術におけるＩｏＴのインターネットと光制御の情報システムにシングルファイアワイヤーで電力を提供する際の課題を解決するために、シングルファイアワイヤーの双方向電力フェッチの光調整制御システムを提供することを目的とする。
【課題を解決するための手段】
【０００７】
本考案の主な目的は、シングルファイアワイヤーの双方向電力フェッチの光調整制御システムを提供するものであり、主に、シングルファイアワイヤーに直列に接続する光調整回路（Ｄｉｍｍｅｒ）であって、少なくとも光調整駆動部材と相互に接続される二つの双方向の電子部材を有し、その一つの双方向の電子部材がシングルファイアワイヤーの入力端と接続されると共に、他の双方向の電子部材がシングルファイアワイヤーの出力端と接続され前記二つの双方向の電子部材が交流のプラス波とマイナス波を位相調整することができる前記光調整回路と、
前記光調整回路と直列に接続されると共に、前記二つの双方向の電子部材の間に位置することにより、前記光調整回路の動作時にシングルファイアワイヤーから電力フェッチする、シングルファイアワイヤーの双方向電力フェッチモジュールと、
前記光調整回路と並列に接続され、その一端が前記一つの双方向の電子部材と接続するシングルファイアワイヤーの入力端に接続されると共に、他端が前記他の双方向の電子部材と接続するシングルファイアワイヤーの出力端に接続されることにより、高圧の交流電流を低圧の直流電流に変換する、ハイサイドバックトランスファー回路（Ｈｉｇｈ  Ｓｉｄｅ  Ｂｕｃｋ）と、
電力取得の入力端が前記シングルファイアワイヤーの双方向電力フェッチモジュールと前記ハイサイドバックトランスファー回路にそれぞれに接続されると共に、電力供給の出力端が前記光調整回路の光調整駆動部材に接続されることにより、異なる電圧の直流電流を転換する直流電力トランスファーと、を備えることを特徴とする。
【０００８】
本考案によれば、シングルファイアワイヤーの双方向光調整を達成でき、光制御の範囲を大幅に向上させ、調整のデューティー比を１５％から９５％以上に制御でき、ひいては１００％に制御でき、電力フェッチの電力は、少なくともＤＣ３．３/４５０ｍＡであり、Ｗｉ-Ｆｉや５Ｇのような高段階のワイヤレス通信モジュールの電力供給を満足でき、未来のＩｏＴのインターネットと光制御の情報システムにシングルファイヤラインで電力供給をすることができる。
【図面の簡単な説明】
【０００９】
【図１】本考案に係わる等価回路を示すブロック図である。
【図２】本考案の回路図である。
【図３】本考案に係わるシングルファイアワイヤーの双方向電力フェッチの光調整制御システムを示すブロック図である。
【図４】本考案の回路工作図である。
【図５Ａ】本考案の光調整周期が１５％である場合を示す波形図である。
【図５Ｂ】本考案の光調整周期が５０％である場合を示す波形図である。
【図５Ｃ】本考案の光調整周期が９０％である場合を示す波形図である。
【図６】従来構成をＬＥＤランプに使用する場合、動態的に電力フェッチの減少状態を示す波形図である。
【考案を実施するための形態】
【００１０】
審査官が本考案の目的、形状、構成の特徴とその効果をよく理解できるよう、図面と合わせて具体の実施例について、以下のように詳細に説明する。
【００１１】
図１〜図５Ｃに示すように、本考案に係わるシングルファイアワイヤーの双方向電力フェッチの光調整制御システムは、主に、光調整回路（１）と、シングルファイアワイヤーの双方向電力フェッチモジュール（２）と、ハイサイドバックトランスファー回路（３）と、直流電力トランスファー（４）とを備える。
【００１２】
前記光調整回路（１）は、シングルファイアワイヤーに直列に接続する光調整回路（１）であって、少なくとも光調整駆動部材（１１）と相互に接続される二つの双方向の電子部材（１２）とを有し、その一つの双方向の電子部材（１２）がシングルファイアワイヤーの入力端と接続されると共に、他の双方向の電子部材（１２）がシングルファイアワイヤーの出力端と接続され前記二つの双方向の電子部材（１２）が交流のプラス波とマイナス波を位相調整することができる。
【００１３】
前記シングルファイアワイヤーの双方向電力フェッチモジュール（２）は、前記光調整回路（１）と直列に接続されると共に、前記二つの双方向の電子部材（１２）の間に位置することにより、前記光調整回路（１）の動作時にシングルファイアワイヤーから電力フェッチする。
【００１４】
前記ハイサイドバックトランスファー回路（３）は、前記光調整回路（１）と並列に接続され、その一端が前記一つの双方向の電子部材（１２）と接続するシングルファイアワイヤーの入力端に接続されると共に、他端が前記他の双方向の電子部材（１２）と接続するシングルファイアワイヤーの出力端に接続されることにより、高圧の交流電流を低圧の直流電流に変換する。
【００１５】
前記直流電力トランスファー（４）は、電力取得の入力端が前記シングルファイアワイヤーの双方向電力フェッチモジュール（２）と前記ハイサイドバックトランスファー回路（３）にそれぞれに接続されると共に、電力供給の出力端が前記光調整回路（１）の光調整駆動部材（１１）に接続されることにより、異なる電圧の直流電流を転換する。
【００１６】
より良い実施例において、前記二つの双方向の電子部材（１２）は、離間して設けられる高圧かつ高工率のＭｏｓＦＥＴ  Ｑ１、Ｑ２から構成され、前記光調整駆動部材（１１）は、ＭｏｓＦＥＴの光調整駆動部材であり、前記直流電力トランスファー（４）から前記光調整駆動部材（１１）への出力電力は、ＤＣ１８Ｖの直流電流である。前記光調整駆動部材（１１）は、ＭＣＵのマイクロプロセッサー（１００）によって制御される。前記ＭＣＵのマイクロプロセッサー（１００）の電力は、前記直流電力トランスファー（４）から供給され、前記ＭＣＵのマイクロプロセッサー（１００）に対する前記直流電力トランスファー（４）の出力電力は、ＤＣ３．３Ｖ/４５０ｍＡの直流電流に達することができる。
【００１７】
図５Ａ〜図５Ｃに示すように、より良い実施例において、前記ＭＣＵのマイクロプロセッサー（１００）によって前記光調整駆動部材（１１）からＶＧＳ波形を発生することにより、前記二つの双方向の電子部材（１２）におけるＭｏｓＦＥＴ  Ｑ１、Ｑ２の連通を同期に制御し、正弦波の曲線において調整を行い、ＶＧＳによる波形の幅とその相対位置を制御することにより、電力供給のエネルギーを調整する。
【００１８】
図３に示すように、より良い実施例において、前記ＭＣＵのマイクロプロセッサー（１００）には、ワイヤレス通信モジュール（１０１）が設けられることができ、前記ワイヤレス通信モジュール（１０１）は、Ｂｌｕｅｔｏｏｔｈ（登録商標）のワイヤレス通信モジュールと、Ｚｉｇｂｅｅ（登録商標）のワイヤレス通信モジュールと、Ｚ-ｗａｖｅ（登録商標）のワイヤレス通信モジュールと、ＲＦ２．４Ｇ、３Ｇ、４Ｇ、４．５Ｇ、５Ｇのワイヤレス通信モジュールと、４３３ＭＨｚのワイヤレス通信モジュールと、Ｗｉ-Ｆｉ（登録商標）のワイヤレス通信モジュールとの何れか一つである。
【００１９】
図３に示すように、より良い実施例において、前記シングルファイアワイヤーの双方向電力フェッチモジュール（２）は、主に、並列の同期直列式電力フェッチ回路（２１）と電子式切替スイッチ（２０）から構成され、前記電子式切替スイッチ（２０）は、前記ＭＣＵのマイクロプロセッサー（１００）によって制御されるが、この限りではない。理論的には、異なるＭＣＵによって制御して、その一つの前記同期直列式電力フェッチ回路（２１）は交流のプラス位相で電力フェッチすると共に、他の前記同期直列式電力フェッチ回路（２１）は交流のマイナス位相で電力フェッチすることもできる（図面なし）。
【００２０】
前記同期直列式電力フェッチ回路（２１）のそれぞれは、同期整流外部電力供給ユニット（２１１）と、同期整流内部電力供給ユニット（２１２）と、同期交流電圧制御ユニット（２１３）と、ＦＥＴ駆動の零位相追従制御ユニット（２１４）と、同期負荷の動態調整ユニット（２１５）と、同期交流の零位相追従電力フェッチユニット（２１６）とを含み、その具体的な構成は、先行技術に掲示されたため、本考案では再び説明しない、
【００２１】
これにより、本発明のシステムでは、シングルファイアワイヤーである光調整回路（１）の動作時に、双方向のブリッジ式の電力フェッチを行うことができ、交流電力における一つの周期で電力フェッチを２回行うことができ、且つ電力フェッチの幅は、負荷の増減に伴い電力を自動的に補償することができる。システム回路の基礎電力を供給する以外に、少なくともＤＣ３．３Ｖ/４５０ｍＡの直流電流を安定的に出力することができるので、Ｗｉ-Ｆｉや５Ｇ、又は同電力損耗の他のワイヤレス通信モジュール（１０１）と感知センサー（１０２）に電力提供することができ、感知信号によって前記光調整回路（１）の作動を制御することができるので、バッテリーの設置が不要で、バッテリーの汚染やニュートラル・ラインの配置というトラブルを防止できる。
【００２２】
図１〜図５Ｃに示すように、本考案を使用する時には、前記光調整回路（１）と、前記シングルファイアワイヤーの双方向電力フェッチモジュール（２）と、前記ハイサイドバックトランスファー回路（３）と、前記直流電力トランスファー（４）との構成により、本考案は、シングルファイアワイヤーで後縁位相制御（Ｔｒａｉｌｉｎｇ-ｅｄｇｅ  Ｐｈａｓｅ  Ｃｏｎｔｒｏｌ）を行うことができ、光調整の全体効率を明らかに向上させることができる。実験によると、本考案の光調整回路（１）の光調整の周期デューティー比は、１５％〜９５％以上に制御でき、ひいては１００％にも制御できるので、その効果は、従来のＴｒｉａｃ前段の位相制御（Ｌｅａｄｉｎｇ−ｅｄｇｅ  Ｐｈａｓｅ  Ｃｏｎｔｒｏｌ）方式より明らかに優れる。
【００２３】
図１〜図４に示すように、本考案に係わるシングルファイアワイヤーの双方向電力フェッチの光調整制御システムの工作原理について、下記のように更に説明する。
【００２４】
前記光調整回路（１）は、交流電力のプラス位相（＋）の時、電流の導入では、前記双方向の電子部材（１２）のＭｏｓＦＥＴ  Ｑ１から、Ｐ２を介して前記シングルファイアワイヤーの双方向電力フェッチモジュール（２）におけるＭｏｓＦＥＴ  Ｑ８とＱ４に到着し、更に他の前記双方向の電子部材（１２）のＭｏｓＦＥＴ  Ｑ２を介して光調整ランプ（１５０）に到着する。交流電力のマイナス位相（−）の時、電流の導入では、前記光調整ランプ（１５０）から他の前記双方向の電子部材（１２）のＭｏｓＦＥＴ  Ｑ２に導入し、Ｐ１を介して前記シングルファイアワイヤーの双方向電力フェッチモジュール（２）におけるＭｏｓＦＥＴ  Ｑ４とＱ８に到着し、更に、前記双方向の電子部材（１２）のＭｏｓＦＥＴ  Ｑ１を介して交流電源に戻る。ＭｏｓＦＥＴ  Ｑ８とＱ４によって同時に双方向の電力フェッチをしてＤＣ１２Ｖの直流電圧を取得する。
【００２５】
前記ハイサイドバックトランスファー回路（３）は、ＭｏｓＦＥＴ  Ｑ１とＱ２の両端に連接して高圧のＡＣ交流電圧を低圧の１２ＶのＤＣ直流電圧に転換し、前記双方向の電力フェッチされたＤＣ１２Ｖの直流電圧と共に前記直流電力トランスファー（４）にそれぞれ入力することにより、３．３Ｖ/４５０ｍＡのＤＣ直流電圧を発生し、よつて、Ｗｉ-Ｆｉや５Ｇ、又は同電力損耗の他のワイヤレス通信モジュール（１０１）と感知センサー（１０２）に電力提供することができる。
【００２６】
図１〜図５Ａ〜図５Ｃに示すように、本システムでは、前記シングルファイアワイヤーの双方向電力フェッチモジュール（２）と前記ハイサイドバックトランスファー回路（３）によって電力を取得し、そのフェッチされた電力が自動的に分配されて調整されることができるので、下記に示されるメリットを有している。
【００２７】
１.  全体の有効な組み合わせによって正弦波の曲線において後縁位相制御（Ｔｒａｉｌｉｎｇ-ｅｄｇｅ  Ｐｈａｓｅ  Ｃｏｎｔｒｏｌ）を行うことができ、光調整の効率を１５％〜９５％に達成でき、ひいては必要に応じて１００％に達成できる。
【００２８】
２.  光調整の周期比例が５０％以上の時に、前記シングルファイアワイヤーの双方向電力フェッチモジュール（２）が前記光調整回路（１）でシングルファイアワイヤーの電力フェッチをすることにより、システム回路の正常な電力供給と安定的な直流電流の出力をすることができる。
【００２９】
３.  光調整の周期比例が５０％以下の時に、前記ハイサイドバックトランスファー回路（３）から電圧を降下して電力を提供することにより、システム回路の正常な電力供給と安定的な直流電流の出力をすることができる。以上の説明では、あくまでも例を挙げて説明するだけであり、実際の自動分配調整方式では、この限りではない。
【００３０】
４.  前記２と３によれば、電力をフェッチする時に、光調整している前記ランプ（１５０）は、常に負荷状態であってオフすることがないので、低負荷の点灯をしても電力をフェッチすることができると共に、ＬＥＤランプ又は省エネルギーランプの点滅状況を防止できる。
【００３１】
本システムでは、前記シングルファイアワイヤーの双方向電力フェッチモジュール（２）が前記光調整回路（１）でシングルファイアワイヤーの電力フェッチをすることができるので、システムの正常な電力供給を常に行うだけではなく、少なくともＤＣ３．３Ｖ/４５０ｍＡの直流電流を安定的に出力することができ、前記ＭＣＵのマイクロプロセッサー（１００）、Ｗｉ-Ｆｉや５Ｇ、又は同電力損耗の他のワイヤレス通信モジュール（１０１）と感知センサー（１０２）に電力提供することができ、従来のシングルファイアワイヤーの電力分配という問題を見事に解決できる。
【００３２】
現在９５％の家庭で使用される機械スイッチでは、シングルファイアワイヤーの電力分配を採用しているため、将来Ｗｉ-ＦｉのＩｏＴインターネットの光調整スイッチを使用する際、電力を取得するためにニュートラル・ラインを追加する必要はなく、現有の家庭電力分配によって将来Ｗｉ-ＦｉのＩｏＴインターネットの光調整スイッチを使用することができ、省エネルギーの概念を家庭や学校や公衆建築に導入することができる。
【００３３】
図１に示すように、本考案の出力端に一般のランプ（１５０）が設けられることにより、照明の輝度調整を行うことができるが、実際には、モーター（１６０）が設けられることにより、回転数の調整を行うことができる。また、実際の使用時には、前記光調整回路（１）と前記シングルファイアワイヤーの双方向電力フェッチモジュール（２）から独立に集積回路モジュールに構成されてもよく、又は、前記光調整回路（１）と、前記シングルファイアワイヤーの双方向電力フェッチモジュール（２）と、前記ハイサイドバックトランスファー回路（３）と、前記直流電力トランスファー（４）から集積回路モジュールに構成されてもよく、こうすると、将来の各位相調整のニーズに応じて使用上に更に便利である。
【００３４】
上述の説明は、本考案の好適な実施例に対する具体的な説明であるが、これらの実施例は本考案における実用新案請求の範囲を限定するものではなく、本考案の要旨に基づいてこれらの実施例の効果と等しい変形や変更をして本考案を完成することができ、これらの変形や変更が本考案における実用新案請求の範囲に含まれるべきである。
【符号の説明】
【００３５】
１          光調整回路
１１        光調整駆動部材
１２        双方向の電子部材
１００      ＭＣＵのマイクロプロセッサー
１０１      ワイヤレス通信モジュール
１０２      感知センサー
１５０      ランプ
１６０      モーター
２          シングルファイアワイヤーの双方向電力フェッチモジュール
２０        電子式切替スイッチ
２１        同期直列式電力フェッチ回路
２１１      同期整流外部電力供給ユニット
２１２      同期整流内部電力供給ユニット
２１３      同期交流電圧制御ユニット
２１４      ＦＥＴ駆動の零位相追従制御ユニット
２１５      同期負荷の動態調整ユニット
２１６      同期交流の零位相追従電力フェッチユニット
３          ハイサイドバックトランスファー回路
４          直流電力トランスファー
【図１】
0003222776.tif 000003
【図２】
0003222776.tif 000004
【図３】
0003222776.tif 000005
【図４】
0003222776.tif 000006
【図５Ａ】
0003222776.tif 000007
【図５Ｂ】
0003222776.tif 000008
【図５Ｃ】
0003222776.tif 000009
【図６】
0003222776.tif 000010